(57)【特許請求の範囲】
【請求項１】
穀物を貯留する貯留室と、穀物を乾燥する乾燥室と、乾燥室の穀物を繰り出すロータリバルブと、穀物の水分値を検出する水分計を備える穀物乾燥機において、
穀物の水分値が低い領域の場合より穀物の水分値が高い領域の場合の時に、単位時間におけるロータリバルブの回転数が多い制御をする制御部を備え、
水分計で測定した水分値が設定値以上の場合には、単位時間におけるロータリバルブの回転数が多い制御を行い、水分計で測定した水分値が設定値未満の場合には、単位時間におけるロータリバルブの回転数が少ない制御を行い、
穀物品種を選択する穀物設定スイッチを操作盤に設け、
穀物設定スイッチで籾を選択すると、水分計で測定する水分値に基づいて、単位時間におけるロータリバルブの回転数を変更する制御を行い、
穀物設定スイッチで麦を選択すると、水分計で測定する水分値にかかわらず、単位時間におけるロータリバルブの回転数を一定にする制御を行うことを特徴とする穀物乾燥機。
【請求項２】
穀物を貯留する貯留室と、穀物を乾燥する乾燥室と、乾燥室の穀物を繰り出すロータリバルブと、穀物の水分値を検出する水分計を備える穀物乾燥機において、
穀物の水分値が低い領域の場合より穀物の水分値が高い領域の場合の時に、単位時間におけるロータリバルブの回転数が多い制御をする制御部を備え、
穀物品種を選択する穀物設定スイッチを操作盤に設け、
穀物設定スイッチで籾を選択すると、水分計で測定する水分値に基づいて、単位時間におけるロータリバルブの回転数を変更する制御を行い、
穀物設定スイッチで麦を選択すると、水分計で測定する水分値にかかわらず、単位時間におけるロータリバルブの回転数を一定にする制御を行うことを特徴とする穀物乾燥機。
【請求項３】
乾燥室は２つの穀物流下通路の穀物を単一のロータリバルブの正逆転により繰り出す構成とし、
単位時間におけるロータリバルブの回転数を多くする場合には、ロータリバルブを複数回転連続で正転させることと複数回転連続で逆転することを交互に行うことを特徴とする請求項１又は請求項２に記載の穀物乾燥機。
【発明の詳細な説明】
【技術分野】
【０００１】
本発明は、穀物乾燥機に関する。
【背景技術】
【０００２】
特許文献１には、乾燥した穀物を繰り出すロータリバルブの回転速度を乾減率に応じてインバータで高速、又は低速で回転させる内容が記載されている。
【先行技術文献】
【特許文献】
【０００３】
【特許文献１】特開昭６３−２１４７８号公報
【発明の概要】
【発明が解決しようとする課題】
【０００４】
乾燥初期は、張込穀物中に藁屑等の長尺異物が多く混入されている。そのため、乾燥室で乾燥した穀物をロータリバルブで繰り出すとき、長尺異物が多く混じるため、その分、繰り出される穀物量が低下する。また、乾燥の進行と共に、長尺異物は乾燥機の天井部に備える排塵機で吸引され、順次減少されると共に、穀物の水分値が低下し、穀物の嵩密度が増大するため、繰り出される穀物量が増大する。その結果、ロータリバルブで繰り出される穀物量が安定しない。
【０００５】
本発明は、ロータリバルブから繰り出される穀物量を安定させることで、良好な循環による乾燥運転をおこなうことを課題とする。
【課題を解決するための手段】
【０００６】
課題を解決するための手段として、請求項１の発明は、
穀物を貯留する貯留室と、穀物を乾燥する乾燥室と、乾燥室の穀物を繰り出すロータリバルブと、穀物の水分値を検出する水分計を備える穀物乾燥機において、
穀物の水分値が低い領域の場合より穀物の水分値が高い領域の場合の時に、単位時間におけるロータリバルブの回転数が多い制御をする制御部を備え、
水分計で測定した水分値が設定値以上の場合には、単位時間におけるロータリバルブの回転数が多い制御を行い、水分計で測定した水分値が設定値未満の場合には、単位時間におけるロータリバルブの回転数が少ない制御を行い、
穀物品種を選択する穀物設定スイッチを操作盤に設け、
穀物設定スイッチで籾を選択すると、水分計で測定する水分値に基づいて、単位時間におけるロータリバルブの回転数を変更する制御を行い、
穀物設定スイッチで麦を選択すると、水分計で測定する水分値にかかわらず、単位時間におけるロータリバルブの回転数を一定にする制御を行うことを特徴する。
【０００７】
請求項２の発明は、
穀物を貯留する貯留室と、穀物を乾燥する乾燥室と、乾燥室の穀物を繰り出すロータリバルブと、穀物の水分値を検出する水分計を備える穀物乾燥機において、
穀物の水分値が低い領域の場合より穀物の水分値が高い領域の場合の時に、単位時間におけるロータリバルブの回転数が多い制御をする制御部を備え、
穀物品種を選択する穀物設定スイッチを操作盤に設け、
穀物設定スイッチで籾を選択すると、水分計で測定する水分値に基づいて、単位時間におけるロータリバルブの回転数を変更する制御を行い、
穀物設定スイッチで麦を選択すると、水分計で測定する水分値にかかわらず、単位時間におけるロータリバルブの回転数を一定にする制御を行うことを特徴とする。
【０００８】
請求項３の発明は、請求項１又は請求項２の発明において、
乾燥室は２つの穀物流下通路の穀物を単一のロータリバルブの正逆転により繰り出す構成とし、
単位時間におけるロータリバルブの回転数を多くする場合には、ロータリバルブを複数回転連続で正転させることと複数回転連続で逆転することを交互に行うことを特徴とする。
【０００９】
【００１０】
【００１１】
【発明の効果】
【００１２】
本発明により、ロータリバルブから繰り出される穀物量を安定させることで、良好な循環による乾燥運転をおこなうことができる。
【図面の簡単な説明】
【００１３】
【図１】穀物乾燥機の外観斜視図
【図２】正面から見た穀物乾燥機の内部を説明する図
【図３】側面から見た下半分の穀物乾燥機の内部を説明する図
【図４】操作盤図
【図５】循環機構を示す図
【図６】ロータリバルブの動作を示す図
【図７】ロータリバルブの動作を示す図
【図８】ロータリバルブの動作を示す図
【図９】乾燥運転を示すフローチャート
【図１０】ロータリバルブの回転制御を示すフローチャート
【発明を実施するための形態】
【００１４】
本実施の形態の穀物乾燥機について以下説明する。
【００１５】
箱体状の機壁１の内部には、上から穀物を貯留する貯留室２と、穀物を乾燥する乾燥室３を備える。乾燥室３は、燃焼バーナ４で生成された熱風が通過する熱風室５と、熱風室５の左右両側にあって穀物が流下する穀物流下室６ａ，６ｂと、穀物流下室６ａ，６ｂの左右外側にあって、熱風室５から穀物流下室６を通過した熱風が排風ファン７の作用で排風となって排出される排風室８を備える。
【００１６】
燃焼バーナ４は機壁１の正面側の燃焼バーナケース９内に設け、排風ファン７は機壁１の背面側に設けている。熱風室５内には遠赤外線放射体１０を設けている。
【００１７】
左右の穀物流下室６ａ，６ｂの下端部には、穀物を繰り出すロータリバルブ１１を設け、ロータリバルブ１１の下方には、ロータリバルブ１１で繰り出した穀物を正面側に搬送する下部ラセン１２を設ける。下部ラセン１２で搬送された穀物、又は投入ホッパ１３に張り込まれた穀物を揚穀するバケット式の昇降機１４を機壁１の正面側に設け、昇降機１４で揚穀した穀物を貯留室２に搬送する上部ラセン１５を機壁１の天井部の上部ラセン樋１６に内装する。本実施の形態ではロータリバルブ１１、下部ラセン１２、昇降機１４、上部ラセン１５を、穀物が穀物乾燥機内を循環するための循環機構と呼ぶ。上部ラセン樋１６には、上部ラセン１５で搬送する穀物に混じる藁屑等を吸引排出する排塵機１７を設けている。
【００１８】
昇降機１４の途中部には昇降機１４のバケットから落下する穀物を取り込んで水分値を測定する水分計１８を設ける。昇降機１４の上部には穀物を機外に排出するための排出シャッタ１９を設ける。
【００１９】
ロータリバルブ１１は内部に穀物を収容する収容室１１ａと、収容室１１ａに穀物を取り込む取り込み口１１ｂを形成した円筒状に構成している。すなわち、断面形状でＣ型に形成している。そして、ロータリバルブモータ２０で正逆転可能に構成している。ロータリバルブ１１と穀物流下室６ａ，６ｂとの隙間をシール部材３４ａ，３４ｂで塞いでいる。
【００２０】
穀物乾燥機を操作する運転スイッチ等を備える操作盤２１を機壁１の正面側に設ける。運転スイッチは、穀物の張込用の張込スイッチ２２と、排風ファン７及び循環機構を駆動するいわゆる通風運転用の通風スイッチ２３と、燃焼バーナ４を点火して乾燥運転をする乾燥スイッチ２４と、貯留室２内の穀物を機外に排出する排出運転用の排出スイッチ２５と、運転を停止する停止スイッチ２６を設ける。
【００２１】
また、貯留室２内に張込をした穀物の品種を選択する穀物設定スイッチ２７と、乾燥速度を選択する乾燥速度選択スイッチ２８と、目標水分値を設定する水分設定スイッチ２９と、張込量を設定する張込量設定スイッチ３０と、緊急停止スイッチ３１を設けている。
【００２２】
また、水分値や残りの乾燥運転時間等の乾燥運転の情報を表示する乾燥運転表示画面３２と、設定張込量又は設定水分値を表示する設定用表示画面３３を設けている。
【００２３】
また、操作盤２１の内部には運転を制御する制御部（図示せず）を内蔵している。
【００２４】
次に、ロータリバルブ１１による穀物乾燥室３からの穀物の繰り出しについて説明する。
【００２５】
ロータリバルブ１１の取り込み口１１ｂの初期位置は下方を向いている（図６参照）。そして、まず時計回りの正転を行う、この場合、ロータリバルブ１１の取り込み口１１ｂが左側の穀物流下室６ａの下端を通過する（図７参照）。この通過するときに、左側の穀物流下室６ａの穀物が取り込み口１１ｂに流れ込むことで収容室１１ａ内に穀物が充填される。そして、ロータリバルブ１１はそのまま、正転し、取り込み口１１ｂが右側の穀物流下室６ｂの下端部を通過する。この時、収容室１１ａ内は既に穀物で充填されているので、右側の穀物流下室６ｂから穀物が流れ込むことは殆どなく、ロータリバルブ１１はさらに正転し、１回転して取り込み口１１ｂが下方を向くと収容室１１ａ内の穀物が落下して下部ラセン１２に供給される。
【００２６】
ロータリバルブ１１を逆転（反時計回り）すると、取り込み口１１ｂが右側の穀物流下室６ｂを通過する際（図８）に、右側の穀物流下室６ｂから収容室１１ａに流れ込み、収容室１１ａ内に穀物が充填される（図８）。そして、さらに逆転して取り込み口１１ｂが左側の穀物流下室６ａの下端部を通過し、１回転して取り込み口１１ｂが下方を向いて収容室１１ａ内の穀物が落下排出される。
【００２７】
ロータリバルブ１１の回転速度は一定（例えば１０秒で１回転）だが、単位時間当たりの回転数を変更可能に構成している。
【００２８】
例えば、図１０（Ａ）では、ロータリバルブ１１を複数回（３回）連続して正転し、次いで複数回（３回）連続して逆転する周期で回転する第一の回転制御を示している。また、図１０（Ｂ）では、１回正転して初期位置で設定時間の停止（インターバル）を経て１回逆転する周期で回転する第二の回転制御を示している。第二の回転制御でのインターバルの時間は回転に要する時間より短い短時間（例えば２秒〜５秒）が望ましい。また、図１０（Ｃ）では、インターバルの時間が第二の回転制御より長い第三の回転制御を示している。第三の回転制御におけるインターバルはロータリバルブが１回転する時間より長く設定する（例えば２０秒）のが望ましい。このように、第一の回転制御の単位時間当たりの回転数（回転量）が最も多くなっている。
【００２９】
次に、図９のフローチャートに沿って、乾燥運転について説明する。
【００３０】
まず、投入ホッパ１３から穀物を貯留室２に張り込む張込運転を行う。この時、昇降機１４で揚穀されている穀物の水分値を水分計１８で測定している。そして、張込作業の終了後に、オペレータは、穀物設定スイッチ２７で張り込んだ穀物品種を選択し、乾燥速度選択スイッチ２８で所望の乾燥速度を選択し、水分設定スイッチ２９で目標とする水分値を設定し、張込量設定スイッチ３０で張り込んだ穀物量を入力する。
【００３１】
まず籾を目標水分値１４％まで乾燥させる場合について説明する。
【００３２】
乾燥スイッチ２４を操作すると、燃焼バーナ４、排風ファン７、排塵機１７、循環機構等が駆動を開始し、穀物は機内を循環しながら乾燥室３で乾燥作用を受ける。
【００３３】
張込運転時で測定した籾の水分値が１８％以上の場合には、ロータリバルブ１１の単位時間当たりの回転数が多い第一の回転制御を行う。すなわち、乾燥開始時には藁屑等の長尺異物が多く含まれ、また、水分値の高い籾は嵩密度が低いため、ロータリバルブ１１を多く回転させることで、循環量を確保し、安定した循環を行うようにする。また、水分のバラツキや斑を迅速に収束させる。
【００３４】
乾燥運転が進行し、籾の水分値が１８％未満に到達すると、ロータリバルブ１１の回転制御を第一の回転制御から第二の回転制御に切り換える。すなわち、乾燥運転が進行するにつれて、長尺異物が排塵機１７で吸引排出され、また、水分値の低下による籾の嵩密度が高くなるため、ロータリバルブ１１の回転数を少なくしても、繰り出される籾量を確保できる。そして、目標水分値の１４％に到達すると、燃焼バーナ４が停止し、乾燥運転が終了する。本実施の形態のロータリバルブ１１の回転制御により、高水分の領域の籾の場合も低水分の領域の籾の場合の場合にも、安定した循環量を確保することができ、良好な乾燥運転を行える。
【００３５】
次に麦の乾燥運転について説明する。
【００３６】
麦の場合には、籾と比較して水分値の低減による嵩密度の変化が小さく、また、ロータリバルブ１１の回転数を多くすることによる損傷がし易いので、標準的な回転数である第二の回転制御を行う。
【００３７】
次に、大豆の乾燥運転について説明する。
【００３８】
大豆の場合には、籾・麦よりさらに循環による損傷がし易いので、回転数が最も少ない第三の回転制御で乾燥運転を行う。
【００３９】
本実施の形態では、第一の回転制御から第二の回転制御への切換えを水分値に基づいて行うが、他にも、乾燥運転開始から設定時間（例えば１時間）が経過すると第一の回転制御から第二の回転制御に切り換えるようにしても良い。この場合の設定時間は張込量設定スイッチ３０で設定した張込量に応じて変更するようにする。すなわち、張込量によって張込穀物が１循環する時間が異なる。そこで、１循環する程度の時間を第一の回転制御を行い、２循環目以降の乾燥運転を第二の回転制御を行う。
【００４０】
また、この設定時間による回転制御の切換えは、張込時の穀物水分値が設定水分値未満（１８％未満）の時に使用しても良い。すなわち、乾燥開始時点の穀物が１８％未満でも最初の設定時間は第一の回転制御を行い、該設定時間が経過すると第二の回転制御に切り換える。これにより、張込時の水分値が低くても、長尺異物が多く含まれている場合に、対応することができる。
【符号の説明】
【００４１】
２    貯留室
３    乾燥室
１１    ロータリバルブ
１８    水分計
２１    操作盤
２７    穀物設定スイッチ
【図１】
0006644259.tif 000002
【図２】
0006644259.tif 000003
【図３】
0006644259.tif 000004
【図４】
0006644259.tif 000005
【図５】
0006644259.tif 000006
【図６】
0006644259.tif 000007
【図７】
0006644259.tif 000008
【図８】
0006644259.tif 000009
【図９】
0006644259.tif 000010
【図１０】
0006644259.tif 000011